(57)【要約】【課題】居住空間や物置空間を容易に形成することができると共に、それらの空間のない元の状態に容易に戻すことができる、建物を提供する。【解決手段】柱１…の高さ方向中間部又は上端部に梁３…がわたされた建物構造部の前記梁３の下が屋外空間部５からなり、該屋外空間部５に、居住用及び／又は物置用構造物５が前記梁３…に吊下げ状態にされて設けられている。【選択図】      図１
2007120169.tif 000002
【特許請求の範囲】
【請求項１】
柱の高さ方向中間部又は上端部に梁がわたされた建物構造部の前記梁下が屋外空間部からなり、該屋外空間部に、居住用及び／又は物置用構造物が前記梁に吊下げ状態にされて設けられていることを特徴とする建物。
【請求項２】
前記居住用及び／又は物置用構造物が水平方向に移動可能に吊り下げられている請求項１に記載の建物。
【発明の詳細な説明】
【技術分野】
【０００１】
本発明は、建物に関する。
【背景技術】
【０００２】
例えば、住宅等の建物の屋外の敷地に、増築により、新たな居住空間や物置空間を形成しようとする場合に、増築する敷地部分に対して、基礎や束、大引等の工事をすることは、従来より行われている。
【発明の開示】
【発明が解決しようとする課題】
【０００３】
しかしながら、基礎や束、大引等の工事は非常に厄介であると共に、一度工事をしてしまうと元に戻すのが容易ではないという問題がある。
【０００４】
本発明は、上記のような問題点に鑑み、居住空間や物置空間を容易に形成することができると共に、それらの空間のない元の状態に容易に戻すことができる、建物を提供することを課題とする。
【課題を解決するための手段】
【０００５】
上記の課題は、柱の高さ方向中間部又は上端部に梁がわたされた建物構造部の前記梁下が屋外空間部からなり、該屋外空間部に、居住用及び／又は物置用構造物が前記梁に吊下げ状態にされて設けられていることを特徴とする建物によって解決される。
【０００６】
この建物では、梁下の屋外空間部において、居住用及び／又は物置用構造物が梁に吊下げ状態にされて設けられているので、該構造物によって、居住空間や物置空間を、基礎等の工事をすることなく、梁に吊下げ状態に取り付けることによって容易に形成することができ、また、該構造物を撤去する場合も、基礎等の撤去の必要がなく、該構造物のない元の状態に容易に戻すことができる。
【０００７】
上記の建物において、前記居住用及び／又は物置用構造物が水平方向に移動可能に吊り下げられている場合は、該構造物の撤去及び／又は配置換えを容易に行うことができる。
【発明の効果】
【０００８】
本発明の建物は、以上のとおりのものであるから、居住空間や物置空間を容易に形成することができると共に、それらの空間のない元の状態に容易に戻すことができる。
【発明を実施するための最良の形態】
【０００９】
次に、本発明の実施最良形態を図面に基づいて説明する。
【００１０】
図１〜図３に示す第１実施形態の建物１において、２…は鋼製柱であり、該柱２…には２階ないしは中２階の居住部４の鋼製床梁３…がわたされていて、これら柱２…と梁３…等により建物の構造部が形成されている。
【００１１】
そして、梁３…の下は、屋外空間部５となっていて、そこに、居住用及び／又は物置用構造物６が、その内部の床面高さ位置を地上Ｇから４００ｍｍ程度とするように、基礎組なしで、地上から浮かされ、前記梁３に吊下げ状態にされて設けられている。なお、居住用及び／又は物置用構造物６の床面高さ位置は、本来ならば地上に基礎を施工して構築するような、地上Ｇ側の位置、例えば、上記のような４００ｍｍ程度の高さ位置であるとよい。
【００１２】
該居住用及び／又は物置用構造物６は、各種構造のものが用いられてよいが、例えば、図３（イ）に示すように、両サイドの柱部７ａ，７ａと床梁部７ｂとをＵ字状に組み合わせて一体化させた複数の鋼製単位スケルトン７…を用い、これら単位スケルトン７…の各柱部７ａ，７ａの上端部を建物構造部の左右の梁３，３の下面部にボルト接合などにより取り付けて地上Ｇから浮かせ梁３に吊り下げた状態にし、所定の間隔おきに直列状態に列設して、各単位スケルトン７…間に、床パネル８と壁パネル９，９と天井パネル１０を設置し、前後をサッシパネル１１とマグサ１２等で閉じて、内部に居住空間及び／又は物置空間を形成するようにしたものなどが、一例として用いられる。
【００１３】
該居住用及び／又は物置用構造物６は、予め組み立てられた状態で、建物構造部の梁３…の下の屋外空間部５に設置されてもよいし、梁３…の下の屋外空間部５において組み立てられて設置されてもよい。また、居住用及び／又は物置用構造物６は、建物の建築時に建物に設けられてもよいし、建物の建築後の増改築等において建物に設けられてもよい。
【００１４】
上記の建物では、建物構造部の梁３…の下の屋外空間部５を利用し、居住用及び／又は物置用構造物６が、基礎等の工事をすることなく、建物構造部の梁３…に吊下げ状態に取り付けられることにより設置されたものであるから、居住空間や物置空間を容易に形成することができる。しかも、該居住用及び／又は物置用構造物６を撤去する場合も、基礎等の撤去の必要がなく、該構造物６のない元の状態に容易に戻すことができる。なお、居住用及び／又は物置用構造物６は、組立てられた状態のまま撤去されてもよいし、梁３の下の屋外空間部５で分解してから撤去されてもよい。
【００１５】
図４（イ）に示す第２実施形態の建物１は、建物構造部の梁３が、その下面側にレール１３を備え、該レール１３に居住用及び／又は物置用構造物６が水平方向に移動可能に吊り下げられて設置されている。
【００１６】
レール１３による居住用及び／又は物置用構造物６の移動は、図４（ロ）に示すように、居住用及び／又は物置用構造物６を建物１から撤去するためのものであってもよいし、また、予め組み立てられた居住用及び／又は物置用構造物を梁３の下の屋外空間部５に設置するためのものであってもよいし、また、図５（ハ）に示すように、居住用及び／又は物置用構造物６の一部を梁３の下の屋外空間部５の外に突出させるように配置替えをするためのものであってもよいし、図５（ニ）に示すように、居住用及び／又は物置用構造物６を梁３の下の屋外空間部５内で配置替えをするためのものであってもよいし、また、それらのいずれか少なくとも二つ以上を目的とするものであってもよい。
【００１７】
このように、居住用及び／又は物置用構造物６を移動可能に梁下に吊り下げた構造にすることで、その撤去や配置換えを容易にすることができる。
【００１８】
以上に、本発明の実施形態を示したが、本発明はこれに限られるものではなく、発明思想を逸脱しない範囲で各種の変更が可能である。例えば、居住用及び／又は物置用構造物の具体的構造に制限はなく、各種構造形態のものが用いられてよい。
【図面の簡単な説明】
【００１９】
【図１】第１実施形態の建物を示すもので、図（イ）は正面図、図（ロ）は図（イ）のＩ−Ｉ線矢視図である。
【図２】同建物の全体斜視図である。
【図３】図（イ）は居住用及び／又は物置用構造物の骨組み構造を示す斜視図、図（ロ）は該骨組みに組み付けられるパネル部品の斜視図である。
【図４】第２実施形態の建物を示すもので、図（イ）は正面図、図（ロ）は居住用及び／又は物置用構造物の撤去方法を示す正面図である。
【図５】図（イ）及び図（ロ）はそれぞれ、同建物における居住用及び／又は物置用構造物の配置替えの態様を示す正面図である。
【符号の説明】
【００２０】
１…建物
２…柱
３…梁
５…屋外空間部
６…居住用及び／又は物置用構造物
１３…レール
【図１】
2007120169.tif 000003
【図２】
2007120169.tif 000004
【図３】
2007120169.tif 000005
【図４】
2007120169.tif 000006
【図５】
2007120169.tif 000007